(57)【要約】【課題】  注射をするときに必要となる薬液と注射器とを、従来に比して狭いスペースで保管することができるとともに、注射後の廃棄物の量も従来に比して少なくすることができる注射器の提供を課題とする。【解決手段】  注射をすべき薬液２４が封入されている薬液容器２０は、中空円筒状の容器本体２１と、封止体２２と、容器本体２１内を密着した状態で移動する移動栓体２３とによって構成されている。先端部に注射針３０を装着することが可能な注射針装着部１１を有する注射器本体１０は、２つの半本体部材１０ａ，１０ｂとによって構成されている。１３は移動栓体２３を押圧する押出棒、１２は押出棒支持部である。２つの半本体部材１０ａ，１０ｂは、ヒンジ部１６によって開閉自在に連結されている。【選択図】  図３
0003149697.tif 000002
【実用新案登録請求の範囲】
【請求項１】
注射をすべき薬液が封入されている円筒状の薬液容器と、
該薬液容器を内蔵可能な略円筒状の注射器本体であって、一端側には、注射針が装着可能な中空円筒状の注射針装着部が形成され、他端側には、前記薬液容器内の薬液を押し出す押出棒をその長さ方向に摺動自在に支持する押出棒支持部と該押出棒支持部に支持された押出棒とが装着されている注射器本体と、
該注射器本体の前記注射針装着部に装着可能な支持部を有し且つ当該支持部の両側に注射針本体が延在する両頭針の注射針とによって構成される注射器であって、
前記注射器本体は、前記注射針装着部を含む前記注射器本体をその長さ方向に二分割した２つの半本体部材によって構成され、当該２つの半本体部材はヒンジ部を介して開閉自在に連結されており、且つ、前記注射器本体の内部には、内蔵される前記薬液容器を所定位置に係止するための係止体が形成され、
前記薬液容器は、中空円筒状の容器本体と、該容器本体の一端を封止する前記注射針本体が貫通可能な材料からなる封止体と、該封止体と協働して前記薬液を封入状態に維持する栓体であって前記容器本体の内壁に密着した状態で前記押出棒の先端部に押圧されて前記容器本体の内部を移動する移動栓体とによって構成され、且つ前記注射器本体の内部に形成されている前記係止体と係合する係合部が形成され、
前記注射針は、前記注射器本体の注射針装置部に装着された状態で、前記注射器本体の内部側に位置する前記注射針本体の長さが、前記注射器本体内の前記所定位置に存在する前記薬液容器の前記封止体を貫通可能な長さに選ばれていることを特徴とする注射器。
【請求項２】
前記押出棒支持部および前記押出棒が装着されている側の前記注射器本体の外側には、使用者の指を係止するための指掛片がさらに形成されていることを特徴とする請求項１に記載の注射器。
【考案の詳細な説明】
【技術分野】
【０００１】
本考案は、医療現場等で使用する注射器に関するものである。
【背景技術】
【０００２】
現在、インフルエンザワクチン等のように、短期間に大量の人間に接種する必要のある薬液は、通常、バイアル瓶に入れられた状態で保管されている。
【０００３】
このようなインフルエンザワクチン等を入れたバイアル瓶には、１人分のインフルエンザワクチン等を入れたバイアル瓶と２人分のインフルエンザワクチン等を入れたバイアル瓶との２種類のバイアル瓶があるが、通常の病院等の施設ではその保管スペースが狭いために、２人分のインフルエンザワクチン等を入れたバイアル瓶が多く用いられている。
【０００４】
ここで、このような２人分のインフルエンザワクチンが入っているバイアル瓶を使用して、実際の注射を行なう場合の一般的な手順としては、以下のような手順によって注射が行なわれる。
【０００５】
先ず、医師または看護師は、使用すべき注射器に径の太い吸入用注射針をセットして、バイアル瓶内のインフルエンザワクチンを注射器内に所定量吸入させ、その後、吸入用注射針を外して、径の細い注射針を注射器にセットして対象となる人間に注射する。
【０００６】
以上のように、バイアル瓶内に保存されているインフルエンザワクチンを実際に注射をする際には、注射針の交換やインフルエンザワクチンの吸入作業という手間が必要となり、大量の人間に注射をする場合にはその作業効率が低下してしまう。
【０００７】
そこで、この作業効率を高めるために、図６（ａ）に示したような状態でインフルエンザワクチンを保管する方法が既に提案されている。
【０００８】
即ち、インフルエンザワクチン等の注射をすべき薬液６０は、すぐに注射することができるように、予め注射器６１内に入れられた状態で保管されている。６２は、注射の際に薬液６０を押し出すための押出棒であり、６３ａは、注射針を保護するための保護カバーである。
【０００９】
このような予め薬液６０が入っている注射器６１は、包装袋７０に密封された状態で、使用するまで保管されている。そして、使用時には、包装袋７０を破って注射器６１を出して、保護カバー６３ａを外して、薬液６０を注射する。
【００１０】
注射後には、図６（ｂ）に示したように、注射針６３および押出棒６２が付いている注射器６１と保護カバー６３ａと包装袋７０とが残り、これらの物品は廃棄物として処理される。
【考案の概要】
【考案が解決しようとする課題】
【００１１】
以上説明したような従来は、注射をすべき薬液を入れた状態の注射器を必要とされる数だけ保管しなければならないために、広い保管スペースが必要となるとともに、使用後の廃棄物の量も多くなってしまうという問題があった。
【００１２】
本考案は、従来に比して、狭いスペースで保管することができ、且つ廃棄物の量も少ない注射器の提供を課題とする。
【課題を解決するための手段】
【００１３】
以上の課題を解決するために本考案は、注射をすべき薬液が封入されている円筒状の薬液容器と、該薬液容器を内蔵可能な略円筒状の注射器本体であって、一端側には、注射針が装着可能な中空円筒状の注射針装着部が形成され、他端側には、前記薬液容器内の薬液を押し出す押出棒をその長さ方向に摺動自在に支持する押出棒支持部と該押出棒支持部に支持された押出棒とが装着されている注射器本体と、該注射器本体の前記注射針装着部に装着可能な支持部を有し且つ当該支持部の両側に注射針本体が延在する両頭針の注射針とによって構成される注射器であって、前記注射器本体は、前記注射針装着部を含む前記注射器本体をその長さ方向に二分割した２つの半本体部材によって構成され、当該２つの半本体部材はヒンジ部を介して開閉自在に連結されており、且つ、前記注射器本体の内部には、内蔵される前記薬液容器を所定位置に係止するための係止体が形成され、前記薬液容器は、中空円筒状の容器本体と、該容器本体の一端を封止する前記注射針本体が貫通可能な材料からなる封止体と、該封止体と協働して前記薬液を封入状態に維持する栓体であって前記容器本体の内壁に密着した状態で前記押出棒の先端部に押圧されて前記容器本体の内部を移動する移動栓体とによって構成され、且つ前記注射器本体の内部に形成されている前記係止体と係合する係合部が形成され、前記注射針は、前記注射器本体の注射針装置部に装着された状態で、前記注射器本体の内部側に位置する前記注射針本体の長さが、前記注射器本体内の前記所定位置に存在する前記薬液容器の前記封止体を貫通可能な長さに選ばれていることを特徴とするものである。ここで、前記押出棒支持部および前記押出棒が装着されている側の前記注射器本体の外側には、使用者の指を係止するための指掛片がさらに形成されていてもよい。
【考案の効果】
【００１４】
本考案によれば、注射をするときに必要となる薬液と注射器とを、従来に比して狭いスペースで保管することができるとともに、注射後の廃棄物の量も従来に比して少なくすることができる。
【図面の簡単な説明】
【００１５】
【図１】本考案の実施例１の構成を示す斜視図である。
【図２】本考案の実施例１の内部構成を示す断面図である。
【図３】本考案の実施例１の構成を示す分解斜視図である。
【図４】本考案の実施例１の使用方法の説明図である。
【図５】本考案の実施例１の使用方法の説明図である。
【図６】従来の注射器の説明図である。
【考案を実施するための形態】
【００１６】
以下、図面を用いて本考案の実施例を説明する。
【実施例１】
【００１７】
図１は本考案の実施例１の構成を示した斜視図であり、図２はその内部構成を示す断面図、図３は図１に示した実施例１の分解斜視図である。
【００１８】
図１ないし図３に示したように、本実施例１に係る注射器１は、注射器本体１０と、その注射器本体１０に内蔵される薬液容器２０と、注射器本体１０の先端部に装着される注射針３０とによって構成されている。
【００１９】
図３に示したように、薬液容器２０は、中空円筒状の容器本体２１と、この容器本体２１の一端を封止する封止体２２と、容器本体２１の内壁に密着した状態で移動する移動栓体２３とによって構成されている。２６は封止用の金具である。
【００２０】
ここで、封止体２２は、図２に示したように、注射針３０の注射針本体３２が貫通可能な材料によって構成されており、薬液容器２０内に封入されている薬液２４は、押出棒１３の先端部１３ａに押されて移動栓体２３が移動するのに従って、注射針本体３２の先端部から外部に流出する。
【００２１】
また、図３に示したように、薬液容器２０には、注射器本体１０の内部に形成されている係止体１５と係合する係合部２５が形成されており、この係合部２５が係止体１５と係合することにより薬液容器２０は注射器本体１０の内部の所定位置に保持される。
【００２２】
図２に示したように、薬液容器２０を内部の所定位置に保持する注射器本体１０は、略円筒状の形態となっており、その一端側には、注射針３０が装着可能な中空円筒状の注射針装着部１１が形成されている。また注射器本体１０の他端側には、押出棒１３をその長さ方向に摺動自在に支持する押出棒支持部１２が装着されている。押出棒１３の先端部１３ａは、薬液容器２０を構成する容器本体２１の内部に侵入して移動栓体２３を押圧することができる形態となっている。
【００２３】
ここで、注射器本体１０は、図３に示すように、その長さ方向に二分割された２つの半本体部材１０ａ，１０ｂによって構成されている。この２つの半本体部材１０ａ，１０ｂは、複数個のヒンジ部１６によって開閉自在となるように連結されている。２つの半本体部材１０ａ，１０ｂのそれぞれには、閉じた状態になったときに互いに係合して閉じた状態を保つための係合片１７が配設されている。
【００２４】
また、図３に示したように、注射器本体１０の押出棒１３が配設されている側には、使用者の指を係止するための指掛片１４が形成されている。
【００２５】
注射器本体１０に装着される注射針３０は、図２に示したように、注射器本体１０の注射針装着部１１に装着可能な支持部３１と、この支持部３１に支持され、且つ支持部３１の両側に延在する注射針本体３２を有する両頭針の注射針である。注射器本体１０の内部側に位置する注射針本体３２の長さは、図２に示すように、注射針３０を注射器本体１０に装着した状態で、薬液容器２０の封止体２２を貫通することができる長さに予め選ばれている。
【００２６】
なお、この注射針３０は、図３に示したような保護カバー３３ａ，３３ｂによって注射針本体３２が保護されている状態で保管されている。
【００２７】
以上のように構成された本実施例１を使用する場合には、図４に示したように注射器本体１０を開いた状態にしておき、注射をすべき薬液２４が封入されている薬液容器２０をその内部に入れてから注射器本体１０を閉じる。その後、図５に示したように、注射器本体１０の注射針装着部１１に注射針３０を装着して保護カバー３３ａを外して注射を行なう。
【００２８】
そして、注射を行った後、注射器本体１０から注射針３０を外して保護カバー３３ａ，３３ｂに入れてから廃棄する。さらに注射器本体１０を開いて、使用後の薬液容器２０を取り外して、この薬液容器２０を廃棄する。
【００２９】
以上説明したように、本実施例１によれば、１個の注射器本体１０と、必要とされる数だけの薬液容器２０および注射針３０を保管しておけばよいことになり、従来のように必要とされる数だけの注射器本体１０を保管する必要がなくなるので、保管スペースを従来に比して小さくすることができる。
【００３０】
また、注射器本体１０は、繰り返して使用することができるので従来のように１回の使用で廃棄する必要はなく、本実施例１では使用後の薬液容器２０のみを廃棄すればよいので、その分だけ従来に比して廃棄物の量を減少させることができる。
【符号の説明】
【００３１】
１  注射器
１０  注射器本体
１０ａ，１０ｂ  半本体部材
１１  注射針装着部
１２  押出棒支持部
１３  押出棒
１３ｂ  先端部
１４  指掛片
１５  係止体
１６  ヒンジ部
１７  係合片
２０  薬液容器
２１  容器本体
２２  封止体
２３  移動栓体
２４  薬液
２５  係合部
２６  金具
３０  注射針
３１  支持部
３２  注射針本体
３３ａ，３３ｂ  保護カバー
【図１】
0003149697.tif 000003
【図２】
0003149697.tif 000004
【図３】
0003149697.tif 000005
【図４】
0003149697.tif 000006
【図５】
0003149697.tif 000007
【図６】
0003149697.tif 000008